【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
式I又は式II:
【化１】
2018533640.tif 000001
(式中、
A1は、CH2、CHR'、CR'2、NH、O、S、Se、Te、SiH2、SiHR'、SiR'2、GeH2、GeHR'、GeR'2、SnH2、SnHR'、SnR'2、PbH2、PbHR'又はPbHR'2から選択され、R'は、D、場合により置換されているFG、場合により置換されている(C1〜C12)アルキル、場合により置換されている(C1〜C11)ヘテロアルキル、場合により置換されている(C1〜C12)アルケニル、場合により置換されている(C1〜C11)ヘテロアルケニル、場合により置換されている(C1〜C12)アルキニル及び場合により置換されている(C1〜C11)ヘテロアルキニルからなる群から選択され、
X1〜X11は、N又はCから独立して選択され、X基がNである場合、R基は存在せず、
R1〜R15は、H、D、場合により置換されているFG、場合により置換されている(C1〜C12)アルキル、場合により置換されている(C1〜C11)ヘテロアルキル、場合により置換されている(C1〜C12)アルケニル、場合により置換されている(C1〜C11)ヘテロアルケニル、場合により置換されている(C1〜C12)アルキニル、場合により置換されている(C1〜C11)ヘテロアルキニル、場合により置換されているシクロアルキル、場合により置換されているシクロアルケニル、場合により置換されているアリール、場合により置換されている複素環、場合により置換されている混合環系から独立して選択され、1つ以上の隣接R基は、一緒になって連結し、シクロアルキル、シクロアルケニル、複素環、アリール及び混合環系を含む群から選択される、1つ以上の置換されている環を形成することができ、
W1は、分子ワイヤ部分であり、
R1〜R5のうちの少なくとも1つは、スルホン酸基である)
の構造を含む化合物。
【請求項２】
式I(a):
【化２】
2018533640.tif 000002
(式中、
R2〜R11は、H、D、場合により置換されているFG、場合により置換されている(C1〜C6)アルキル、場合により置換されている(C1〜C5)ヘテロアルキル、場合により置換されている(C1〜C6)アルケニル、場合により置換されている(C1〜C5)ヘテロアルケニル、場合により置換されている(C1〜C6)アルキニル、場合により置換されている(C1〜C5)ヘテロアルキニル、場合により置換されている(C5〜C7)シクロアルキル、場合により置換されている(C5〜C7)シクロアルケニル、場合により置換されているアリール、場合により置換されている複素環、場合により置換されている混合環系から独立して選択され、1つ以上の隣接R基は、一緒になって連結し、シクロアルキル、シクロアルケニル、複素環、アリール及び混合環系を含む群から選択される、1つ以上の置換されている環を形成することができる)
の構造を含む、請求項1に記載の化合物。
【請求項３】
以下:
【化３】
2018533640.tif 000003
の構造を含む、請求項2に記載の化合物。
【請求項４】
以下:
【化４】
2018533640.tif 000004
の構造を含む、請求項2に記載の化合物。
【請求項５】
式II:
【化５】
2018533640.tif 000005
(式中、
A1は、CH2、CHR'、CR'2、NH、O、S、Se、Te、SiH2、SiHR'、SiR'2、GeH2、GeHR'、GeR'2、SnH2、SnHR'、SnR'2、PbH2、PbHR'又はPbHR'2から選択され、R'は、D、場合により置換されているFG、場合により置換されている(C1〜C12)アルキル、場合により置換されている(C1〜C11)ヘテロアルキル、場合により置換されている(C1〜C12)アルケニル、場合により置換されている(C1〜C11)ヘテロアルケニル、場合により置換されている(C1〜C12)アルキニル及び場合により置換されている(C1〜C11)ヘテロアルキニルからなる群から選択され、
W1は、分子ワイヤ部分であり、
X1、X2及びX4〜X11は、N又はCから独立して選択され、X基がNである場合、R基は存在せず、
R1、R2及びR4〜R15は、H、D、場合により置換されているFG、場合により置換されている(C1〜C12)アルキル、場合により置換されている(C1〜C11)ヘテロアルキル、場合により置換されている(C1〜C12)アルケニル、場合により置換されている(C1〜C11)ヘテロアルケニル、場合により置換されている(C1〜C12)アルキニル、場合により置換されている(C1〜C11)ヘテロアルキニル、場合により置換されているシクロアルキル、場合により置換されているシクロアルケニル、場合により置換されているアリール、場合により置換されている複素環、場合により置換されている混合環系から独立して選択され、1つ以上の隣接R基は、一緒になって連結し、シクロアルキル、シクロアルケニル、複素環、アリール及び混合環系を含む群から選択される、1つ以上の置換されている環を形成することができる)
を含む、請求項1に記載の化合物。
【請求項６】
式II(a):
【化６】
2018533640.tif 000006
(式中、
L1は、
【化７】
2018533640.tif 000007
2018533640.tif 000008
及び上述の任意の組合せからなる群から選択され、
A1〜A8は、CH2、CHR'、CR'2、NH、O、S、Se、Te、SiH2、SiHR'、SiR'2、GeH2、GeHR'、GeR'2、SnH2、SnHR'、SnR'2、PbH2、PbHR'又はPbHR'2からそれぞれ独立して選択され、R'は、D、場合により置換されているFG、場合により置換されている(C1〜C12)アルキル、場合により置換されている(C1〜C11)ヘテロアルキル、場合により置換されている(C1〜C12)アルケニル、場合により置換されている(C1〜C11)ヘテロアルケニル、場合により置換されている(C1〜C12)アルキニル及び場合により置換されている(C1〜C11)ヘテロアルキニルからなる群から選択され、
X1、X2及びX4〜X42は、N又はCから独立して選択され、X基がNである場合、R基は存在せず、
R1、R2及びR4〜R54は、H、D、場合により置換されているFG、場合により置換されている(C1〜C12)アルキル、場合により置換されている(C1〜C11)ヘテロアルキル、場合により置換されている(C1〜C12)アルケニル、場合により置換されている(C1〜C11)ヘテロアルケニル、場合により置換されている(C1〜C12)アルキニル、場合により置換されている(C1〜C11)ヘテロアルキニル、場合により置換されているシクロアルキル、場合により置換されているシクロアルケニル、場合により置換されているアリール、場合により置換されている複素環、場合により置換されている混合環系から独立して選択され、1つ以上の隣接R基は、一緒になって連結し、シクロアルキル、シクロアルケニル、複素環、アリール及び混合環系を含む群から選択される、1つ以上の置換されている環を形成することができ、
n1〜n8は、独立して、0〜10から選択される整数である)
の構造を含む、請求項5に記載の化合物。
【請求項７】
式II(b):
【化８】
2018533640.tif 000009
(式中、
X1、X2及びX4〜X20は、N又はCから独立して選択され、X基がNである場合、R基は存在せず、
R2、R4〜R11及びR16〜R26は、H、D、場合により置換されているFG、場合により置換されている(C1〜C6)アルキル、場合により置換されている(C1〜C5)ヘテロアルキル、場合により置換されている(C1〜C6)アルケニル、場合により置換されている(C1〜C5)ヘテロアルケニル、場合により置換されている(C1〜C6)アルキニル、場合により置換されている(C1〜C5)ヘテロアルキニル、場合により置換されているシクロアルキル、場合により置換されているシクロアルケニル、場合により置換されているアリール、場合により置換されている複素環、場合により置換されている混合環系から独立して選択され、1つ以上の隣接R基は、一緒になって連結し、シクロアルキル、シクロアルケニル、複素環、アリール及び混合環系を含む群から選択される、1つ以上の置換されている環を形成することができ、
n1は、0〜5の整数である)
の構造を含む、請求項6に記載の化合物。
【請求項８】
式II(c):
【化９】
2018533640.tif 000010
(式中、
R16、R17、R19及びR20は、H、D、場合により置換されているFG、場合により置換されている(C1〜C6)アルキル、場合により置換されている(C1〜C5)ヘテロアルキル、場合により置換されている(C1〜C6)アルケニル、場合により置換されている(C1〜C5)ヘテロアルケニル、場合により置換されている(C1〜C6)アルキニル、場合により置換されている(C1〜C5)ヘテロアルキニル、場合により置換されているシクロアルキル、場合により置換されているシクロアルケニル、場合により置換されているアリール、場合により置換されている複素環、場合により置換されている混合環系から独立して選択され、1つ以上の隣接R基は、一緒になって連結し、シクロアルキル、シクロアルケニル、複素環、アリール及び混合環系を含む群から選択される、1つ以上の置換されている環を形成することができ、
n1は、0〜5の整数である)
の構造を含む、請求項7に記載の化合物。
【請求項９】
以下:
【化１０】
2018533640.tif 000011
の構造を含む、請求項8に記載の化合物。
【請求項１０】
以下:
化合物が、入射光による励起時に、遠赤外光から近赤外光を発する、
化合物が水溶性である、
化合物が、最小限のソルバトクロミズムを示す、
化合物が、酸性環境又は塩基性環境のどちらでもスピロ環化を受けない、及び/又は
化合物が、光誘起電子移動を受けることができる、
の特徴のうちの1つ以上を有する、請求項1から9のいずれか一項に記載の化合物。
【請求項１１】
化合物が、入射光による励起時に、遠赤外光から近赤外光を発することを特徴とし;水溶性であり;最小限のソルバトクロミズムを示し;酸性環境又は塩基性環境のどちらでも、スピロ環化を受けず;かつ光誘起電子移動を受けることができる、請求項10に記載の化合物。
【請求項１２】
細胞をイメージングする方法であって、
細胞と請求項1から9のいずれか一項に記載の化合物とを接触させるステップ、
第1の波長を有する光を細胞に照射するステップ、
第2の波長を有する光を検出することにより、細胞をイメージングするステップ
を含み、
光の第1の波長及び第2の波長が、異なる波長を有しており、第2の波長を有する光が、遠赤外から近赤外領域にある方法。
【請求項１３】
細胞と1つ以上の追加の光遺伝学的ツールとを接触させるステップ、及び
1つ以上の追加の波長の発光を検出することにより細胞をイメージングするステップ
をさらに含む、請求項12に記載の方法。
【請求項１４】
1つ以上の光遺伝学的ツールが、GFP、Ca2+インジケーター、cpGFPに基づく電圧センサー及びチャネルロドプシン2(ChR2)から選択される、請求項12に記載の方法。
【請求項１５】
膜電位を変化させる細胞における、膜電位の変化を測定する方法であって、
細胞と請求項1から9のいずれか一項に記載の化合物とを接触させるステップ、
細胞を刺激して、活動電位を誘発するステップ、並びに
光学サンプリング及び/又は電気サンプリングにより、活動電位の発火を測定するステップ
を含む方法。
【請求項１６】
光学サンプリングが、電子増倍型電荷結合素子を使用して測定される、請求項15に記載の方法。
【請求項１７】
細胞が、ホールセル電流クランプ法を使用して、又はフィールド刺激によって刺激される、請求項16に記載の方法。
【請求項１８】
細胞が、ニューロン、心筋細胞、筋細胞又は分泌細胞である、請求項15に記載の方法。
【請求項１９】
ニューロンの膜電位をインテロゲートする、請求項18に記載の方法。
【請求項２０】
緩衝溶液中に請求項1から11のいずれか一項に記載の化合物を含む複数のアリコート、又は緩衝溶液中に請求項1から11のいずれか一項に記載の化合物を含む高濃度溶液であってその後使用前に希釈される溶液、を含む、キット。
【手続補正２】
【補正対象書類名】明細書
【補正対象項目名】００２８
【補正方法】変更
【補正の内容】
【００２８】
特定の実施形態では、本開示はまた、緩衝溶液中に本明細書において開示されている化合物を含むアリコート、又は緩衝溶液中に本明細書において開示されている化合物を含む濃縮溶液であってその後使用前に希釈される溶液、を含む、キットを提供する。